(57)【要約】      （修正有）【課題】カーテンレールが高い位置に設置されていたり、またレールの奥に壁面等が存在したりする場合でも、カーテンを楽な姿勢で容易に装着することができるカーテン吊下具を提供する。【解決手段】本カーテン吊下具１はカーテンをレールに吊り下げるために用いられ、レールのリングに装着されるフック体４を有し、かつ、フック体４が、押圧されて開口部６を形成する可動部５を備えるとともに、開口部６を介してリングに装着される。【選択図】図１
0003170121.tif 000002
【実用新案登録請求の範囲】
【請求項１】
カーテンをレールに吊り下げるためのカーテン吊下具であって、該レールのリングに装着されるフック体を有し、かつ、該フック体が、押圧されて開口部を形成する可動部を備えるとともに、該開口部を介して該リングに装着されることを特徴とするカーテン吊下具。
【請求項２】
前記開口部が、前記フック体の垂直方向中央部より上方に形成される請求項１記載のカーテン吊下具。
【請求項３】
前記フック体の、前記リングと係合する部位に、凹部が設けられている請求項１または２記載のカーテン吊下具。
【請求項４】
前記フック体が、垂直方向下方の荷重に対し弾性変形可能である請求項１〜３のうちいずれか一項記載のカーテン吊下具。
【考案の詳細な説明】
【技術分野】
【０００１】
本考案は、カーテンをレールに装着する際、楽な姿勢で容易に装着することができるカーテン吊下具に関する。
【背景技術】
【０００２】
一般的なカーテンは、窓の室内側のカーテンレールに吊り下げられ、レール内のランナにより開閉自在に装着されている。また、通常、カーテンは荷重がかかっても容易には落下しないように、ランナに連結されたリングに、金属やプラスチック等からなるフックを介して強固に取り付けられている。
【０００３】
カーテンフックにおける従来技術として、特許文献１には、カーテンの挟持力に優れ、容易に脱落せず、左右への揺動を防ぎ、着脱が容易で、取り外し時に生地を破損しないカーテンフックが開示されている（特許文献１参照）。
【０００４】
上掲特許文献１のカーテンフックは、縦方向に列設された係合凹所を備えた幹部と、幹部の下端から後ろ上方へ湾曲して延びる挿入幹部とを有する合成樹脂製の吊り骨と、係合凹所の列にラテェット式に係合して下方へ移動できるように幹部に装着され、ランナに係合する吊り鈎を備えた合成樹脂製の移動駒とを具備し、挿入幹部の内部に空洞部を設けるとともにその挿入幹部の幹部側の面を、幹部に近接する弓型凸部に形成して、弓型凸部に対向する幹部の後面に歯部を設け、幹部後面の歯部と挿入幹部の弓型凸部でカーテンを挟持固定することを特徴としている。
【先行技術文献】
【特許文献】
【０００５】
【特許文献１】実用新案登録第３００７９３０号公報（実用新案登録請求の範囲等）
【考案の概要】
【考案が解決しようとする課題】
【０００６】
しかしながら、上掲特許文献１に記載されたカーテンフックは、移動駒の吊り鈎が抱接部の下方にまで延設されている。この構造のカーテンフックにおいては、図９に示すように、カーテン３０をレール３１に吊り下げる際、カーテンフック１０を高い位置に持ち上げ、水平に維持した状態で吊り鈎１１をリング３２に挿入しなければならない。また、図示するように、レール３１の奥に壁面４０等がある場合、フックに連結されたアジャスタ２０が壁面４０等に接触する可能性が生じ、カーテンの吊り下げ作業が非常に困難であった。
【０００７】
そこで、本考案の目的は、上記問題点を解消して、カーテンレールが高い位置に設置されていたり、また、レールの奥に壁面等が存在したりする場合でも、カーテンを楽な姿勢で容易に装着することができるカーテン吊下具を提供することにある。
【課題を解決するための手段】
【０００８】
上記課題を解決するために、本考案のカーテン吊下具は、カーテンをレールに吊り下げるためのカーテン吊下具であって、該レールのリングに装着されるフック体を有し、かつ、該フック体が、押圧されて開口部を形成する可動部を備えるとともに、該開口部を介して該リングに装着されることを特徴とするものである。
【０００９】
前記開口部は、前記フック体の垂直方向中央部より上方に形成されることが好ましい。また、前記フック体の、前記リングと係合する部位に、凹部が設けられていることが好ましい。
【００１０】
さらに、前記フック体は、垂直方向下方の荷重に対し弾性変形可能であることが好ましい。
【考案の効果】
【００１１】
本考案のカーテン吊下具によれば、レールのリングに装着されるフック体に、押圧されて開口部を形成する可動部を設けたことにより、フック体の一部を押圧することで、レールのリングに装着できる開口部が形成されるので、カーテンフックを高い位置に持ち上げたり、水平に維持したりしなくても、容易にフック体をリングに挿入し、装着することが可能となった。
【００１２】
また、フック体を、垂直方向下方の荷重に対し弾性変形可能に形成すれば、通常のカーテン使用時においては何等問題を生じることはないが、カーテンに必要以上の荷重が生じた際には、フック体は破損することなく形状が変形して、カーテンをレールから落下させることができる。そのため、誤ってカーテンの一部に首を引っ掛けても、頚動脈圧迫による不慮の事故を未然に防ぐことができる。さらに、本考案のカーテン吊下具のフック体は変形し得る柔軟性を有するため、フック体を付けたままカーテンを洗濯機で洗うこともできる。
【図面の簡単な説明】
【００１３】
【図１】本考案のカーテン吊下具の一例を示す正面図である。
【図２】（ａ）,（ｂ）,（ｃ）は、フック体に開口部が形成される状態を示す説明図である。
【図３】フック体に凹部が設けられたカーテン吊下具の一例を示す正面図である。
【図４】本考案のカーテン吊下具の他の例を示す正面図である。
【図５】本考案のカーテン吊下具のさらに他の例を示す正面図である。
【図６】本考案のカーテン吊下具のさらに他の例を示す正面図である。
【図７】（ａ）は本考案のカーテン吊下具のさらに他の例を示す正面図であり、（ｂ）はその使用方法を示す正面図である。
【図８】（ａ）,（ｂ）は本考案のカーテン吊下具の装着方法を示す正面図である。
【図９】従来のカーテンフックの装着状態を示す説明図である。
【考案を実施するための形態】
【００１４】
以下、本考案のカーテン吊下具の実施の形態を図面に基づいて説明する。
【００１５】
図１に示す本考案の好適実施形態に係るカーテン吊下具は、汎用のカーテンをレールに吊り下げるためのカーテン吊下具である。かかる本考案のカーテン吊下具１は、アジャスタ２０に装着されるラチェット部３と、ラチェット部３に設けられたフック体２とからなる。
【００１６】
フック体２は、レールのリングに装着されるものであって、ラチェット部３の上部より立設されたフック部４と、基端がラチェット部３の側面に装着され、先端がフック部４方向に延設される可動部５とにより構成されている。なお、本考案のカーテン吊下具１は、可動部５を備えるフック体２を有するものであれば、ラチェット部３については備えていなくてもよい。
【００１７】
図示するフック部４は鈎状を呈しており、上端が半円状に湾曲している。また、可動部５の先端は、フック部４の先端部の湾曲内側に配設された状態に形成されている。そのため、本考案のカーテン吊下具１においては、図２に示すように、可動部５を指で押圧することにより開口部６が形成されて、かかる開口部６を介して、フック体２をカーテンレールのリング３２に装着することができる。
【００１８】
なお、図示するように、可動部５は、押圧操作を解除した後には、再びフック部４の先端部の湾曲内側の位置まで戻るので、カーテンを開閉した際でも、フック体２がリング３２から脱落することはない。
【００１９】
また、図示するように、開口部６は、フック体２の垂直方向中央部より上方に形成される。そのため、カーテンをレールに装着する際に、カーテン吊下具１を高い位置で水平状態に維持する必要がなく、容易に装着作業を行うことができる。
【００２０】
本考案の他の好適実施形態においては、図３に示すように、フック体２の、リングと係合する部位、すなわち、フック部４の内周の上端に、凹部７が設けられていることが好ましい。凹部７を設けることで、フック体２をリングに装着した際に、リングが凹部７内に嵌まり込み、カーテンを開閉する際に、リングからフック体２が脱落することをより確実に防止することが可能となる。
【００２１】
本考案に係るフック体２は、可動部５を押圧することで弾性変形により開口部６が形成されるものであれば、如何なる形状および材質であっても構わない。その一例として、図４に、可動部５を側面方向に湾曲させた形状のフック体２を示す。かかる構造により、開口部６を形成させる操作がより容易になる。
【００２２】
また、図５に、フック部４の先端および可動部５の先端を一直線状に配置するとともに、これらフック部４の先端と可動部５の先端との突合せ部を傾斜状としたフック体２を示す。かかる構造とすることで、フック体２の凹凸がなくなり、すっきりとした形状に形成できる。また、フック部４の内周部の径が広くなるので、リングへの挿入作業やカーテンの開閉操作の利便性が高まる。
【００２３】
さらに、図６に、可動部５の先端をフック部４の外周側に配置したフック体２を示す。これにより、開口部６が上方に形成されることになるので、フック体２を、その上部からリングへ挿入することが可能となる。
【００２４】
さらにまた、図７（ａ），（ｂ）に、フック部４および可動部５を波型（Ｓ字型）に形成し、互いの凸部分に連結部８を設置した構造のフック体２を示す。かかる構造により、図中の（ｂ）に示すように、フック部４および可動部５の下部を両側面から押圧することで、上端部に開口部６が形成されることになる。これにより、フック部の上部からの装着操作を、より簡便に行うことが可能となる。
【００２５】
さらにまた、他の好適実施形態として、フック体２は、垂直方向下方の荷重に対し弾性変形可能に形成することが好ましい。すなわち、フック体２は、カーテンに必要以上の荷重が生じた際に、破損することなく弾性変形する素材にて形成することが好適である。具体的には、スチール等の金属材料、または、ポリオレフィン樹脂やポリエステル樹脂、ポリカーボネート樹脂、ポリアミド樹脂等の樹脂材料やエラストマー材料を用いて、形成することができる。
【００２６】
上記素材にてフック体２を形成することで、カーテンに必要以上の荷重、例えば、１０ｋｇ程度の荷重がかかった際には、フック体２が弾性変形するので、カーテンレールから容易にカーテンを取り外すことができる。そのため、例えば、誤ってカーテンに首を引っ掛けた状態で荷重がかかってしまった場合でも、頚部の大動脈が圧迫される前にカーテンが落下するため、不慮の事故を未然に防ぐことができる。また、カーテンの洗濯の際においても、カーテンをレールから簡単に取り外すことができる。なお、上記構造のカーテン吊下具には、本願出願人により出願されたカーテン吊下具（実用新案登録第３１６１７３９号）がある。
【００２７】
次に、本考案のカーテン吊下具の使用方法を、図８に基づいて説明する。
まず、通常のように、カーテン３０にカーテン吊下具１を装着する。次に、図中の（ａ）に示すように、可動部５を押圧して開口部６を形成し、フック体２をカーテンレール３１のリング３２に装着する。この際、開口部６はフック体２の上方に形成されるので、カーテン吊下具１およびカーテン３０をやや斜めに傾斜させるだけで、簡単にリング３２に装着することができる。そのため、カーテンレールが高い位置に設置されている場合、または、カーテンレール３１の奥に壁面が存在する場合でも、容易にカーテンを装着することができる。
【００２８】
リング３２にフック部４を装着した後、可動部５から指を外す。すると、可動部５はフック部４の先端部の湾曲内側に戻るので、図中の（ｂ）に示すように、カーテン３０をカーテンレール３１に吊り下げることができる。
【００２９】
なお、フック体２を、垂直方向下方の荷重に対し弾性変形可能に形成しておくことで、カーテン３０をレール３１から容易に取り外すことが可能となる。
【符号の説明】
【００３０】
１  カーテン吊下具
２  フック体
３  ラチェット部
４  フック部
５  可動部
６  開口部
７  凹部
８  連結部
１０  カーテンフック
１１  吊り鈎
２０  アジャスタ
３０  カーテン
３１  レール
３２  リング
４０  壁面
【図１】
0003170121.tif 000003
【図２】
0003170121.tif 000004
【図３】
0003170121.tif 000005
【図４】
0003170121.tif 000006
【図５】
0003170121.tif 000007
【図６】
0003170121.tif 000008
【図７】
0003170121.tif 000009
【図８】
0003170121.tif 000010
【図９】
0003170121.tif 000011